(57)【要約】【課題】  底付き感を着座者に与えるとともに、着座者腰部からの荷重による受圧部材の作動力の伝達効率が低下する傾向にある。【解決手段】  着座者腰部からの荷重をそのクランク部横軸１６ａ−１で受圧可能に、略クランク軸形状に形成された受圧部材１６がシートバックフレーム２０の左右サイドフレーム２８間に架設、軸支されている。また、受圧部材のクランク部横軸１６ａ−１での着座者からの衝撃荷重の受圧によるその支軸を支点とした受圧部材の上方揺動を支持シャフトの上方変位に変換、伝達する左右一対の伝達縦軸３０が、着座者上体背部との略非整列位置で受圧部材のクランク部横軸１６ａ−１と回動リンク１４の連結端１４ａとの間に架設、枢支されている。【選択図】  図１
2010105424.tif 000002
【特許請求の範囲】
【請求項１】
ヘッドレストを支持する横設の支持シャフトが、左右一対の回動リンクによって上方変位を可能に支持されるとともに、着座者からの荷重を受圧する受圧部材が、後突時等での着座者の後方慣性移動による衝撃荷重の受圧のもとで後方かつ上方に移動可能に設けられ、この受圧部材の移動を支持シャフトの上方変位に伝達縦軸を介して伝達、変換することにより、下方初期位置から上方変位位置へのヘッドレストの強制変位を可能とした車両用シートのシートバック構造において、
略クランク軸形状に形成された上記受圧部材が、着座者腰部からの荷重をそのクランク部横軸で受圧可能に、シートバックフレームの左右サイドメンバ間に架設、軸支されるとともに、当該受圧部材のクランク部横軸での着座者からの衝撃荷重の受圧による、その支軸を支点とした当該受圧部材の上方揺動を上記支持シャフトの上方変位に変換、伝達する左右一対の上記伝達縦軸が、着座者上体背部との略非整列位置で受圧部材のクランク部と上記回動リンクの所定の連結端との間に架設、枢支されたことを特徴とする車両用シートのシートバック構造。
【請求項２】
前記伝達縦軸が、略クランク軸形状に形成された連結部材のクランク部縦軸として形成され、当該連結部材のクランク部横軸を前記受圧部材のクランク部横軸の後ろ側に回動自在に連結、保持するとともに、当該連結部材のクランク部縦軸上端に位置する支軸を上記回動リンクの連結端に枢着してなる請求項１記載の車両用シートのシートバック構造。
【請求項３】
前記伝達縦軸が、正面略逆ハ字形状に配置された請求項１または２記載の車両用シートのシートバック構造。
【請求項４】
前記支持シャフトが、略クランク軸形状に形成され、当該支持シャフトのクランク部横軸が、その支軸の上方位置に配置された請求項１ないし３のいずれか記載の車両用シートのシートバック構造。
【発明の詳細な説明】
【技術分野】
【０００１】
本発明は、後突時における着座者の後方慣性移動をシートバックに内設された受圧部材が受けることにより、ヘッドレストをその下方初期位置から上方変位位置に強制変位させる車両用シートのシートバック構造に関する。
【背景技術】
【０００２】
後突の発生時、その際の着座者の後方慣性移動による荷重（衝撃荷重）をシートバック内の受圧部材が受けることにより、ヘッドレストを着座者頭部方向、つまり下方初期位置から少なくともその上方に強制的に変位させる、いわゆるアクティブヘッドレストが、たとえば特開２００７−１８６１０３号公報などに開示されている。
【０００３】
この特開２００７−１８６１０３号公報記載の構成においては、左右の回動リンク間に架設された支持シャフトに、ヘッドレストが連結、支持されている。そして、受圧部材が受けた荷重を伝達ロッドやカプラ（連設リンク）等により支持シャフトあるいは回動リンクに伝達することにより、ヘッドレストをその下方初期位置から着座者頭部方向である少なくとも上方位置に変位させるようにアクティブヘッドレストは構成されている。
【特許文献１】特開２００７−１８６１０３号公報
【発明の開示】
【発明が解決しようとする課題】
【０００４】
この特開２００７−１８６１０３号公報記載の公知の構成においては、着座者からの衝撃荷重を受ける受圧部材として、シート左右方向に延びた下方クロスバー（横軸部）と、下方クロスバーから上方に延びて支持シャフトに連結されたリンキングロッド（縦軸部）との組み合わせとしてなる伝達ロッドが設けられている。そして、この伝達ロッドのうちの下方クロスバーは、後方かつ上方への直線的な斜行を可能に構成され、この下方クロスバーの後方斜行によって支持シャフトを持ち上げるように、リンキングロッドが下方クロスバーと支持シャフトとの間に架設されている。
【０００５】
ここで、この公知の構成においては、受圧部材が、直線的な後方斜行を可能に支持された下方クロスバーであるため、この受圧部材には、左右同期したスライドが要求される。そのため、下方クロスバーの円滑なスライドを得るためには、左右のガイド部材の間隔が必然的に狭くなり、着座者臀部等に近接することによる底付き感を着座者に与えるおそれがある。
【０００６】
また、下方クロスバーを支持するガイド部材の間隔が狭くなることにより、この種の公知の構成においては、上下方向に延びるリンキングロッドの左右幅も狭くせざるを得ない。そこで、公知の構成においては、後突時等の後方慣性移動によりシートバック着座面に大きく沈み込んだ着座者上体の底付き感の抑制を目的として、撓みの可能な比較的細い線径の線材（ワイヤ材）がリンキングロッドとして使用される。しかしながら、この構成においては、着座者腰部からの荷重による受圧部材の作動力を、支持シャフトに対しリンキングロッドが撓みながら伝達しようとするため、その伝達効率の低下が避けられない。
【０００７】
ところで、後突時においては、その衝撃による後方慣性移動により、着座者上体はシートバック着座面に大きく沈み込むが、通常、支持シャフトは、特開２００７−１８６１０３号公報記載のように直線状であるため、シートバック着座面に大きく沈み込んだ着座者の頚椎等が支持シャフトに接近しやすくなる。従って、この点においても、着座者に対して底付き感を与えるおそれがある。
【０００８】
本発明は、アクティブヘッドレストにおける高い伝達効率の確保と着座者上体への底付き感付与の抑制との両立を可能とした車両用シートのシートバック構造の提供を目的としている。
【課題を解決するための手段】
【０００９】
請求項１に係る本発明によれば、ヘッドレストを支持する横設の支持シャフトが、左右一対の回動リンクによって上方変位を可能に支持されるとともに、着座者からの荷重を受圧する受圧部材が、後突時等での着座者の後方慣性移動による衝撃荷重の受圧のもとで後方かつ上方に移動可能に設けられ、この受圧部材の移動を支持シャフトの上方変位に伝達縦軸を介して伝達、変換することにより、下方初期位置から上方変位位置へのヘッドレストの強制変位を可能とした車両用シートのシートバック構造において、略クランク軸形状に形成された上記受圧部材が、着座者腰部からの荷重をそのクランク部横軸で受圧可能に、シートバックフレームの左右サイドメンバ間に架設、軸支されるとともに、当該受圧部材のクランク部横軸での着座者からの衝撃荷重の受圧による、その支軸を支点とした当該受圧部材の上方揺動を上記支持シャフトの上方変位に変換、伝達する左右一対の上記伝達縦軸が、着座者上体背部との略非整列位置で受圧部材のクランク部と上記回動リンクの所定の連結端との間に架設、枢支されたことを特徴としている。
【００１０】
また、請求項２に係る本発明によれば、伝達縦軸を略クランク軸形状に形成された連結部材のクランク部縦軸として形成し、この連結部材のクランク部横軸を受圧部材のクランク部横軸の後ろ側に回動自在に連結、保持するとともに、この連結部材のクランク部縦軸上端に位置する支軸を回動リンクの所定の連結端に枢着している。
【００１１】
そして、請求項３に係る本発明によれば、伝達縦軸を正面略逆ハ字形状に配置している。
【００１２】
また、請求項４に係る本発明によれば、支持シャフトを略クランク軸形状に形成し、この支持シャフトのクランク部横軸を、その支軸の上方位置に配置されている。
【発明の効果】
【００１３】
請求項１に係る本発明では、左右の伝達縦軸を着座者上体背部との非整列位置に配しているため、着座者上体がシートバック着座面に大きく沈み込んだ際における、着座者上体への底付き感の付与が確実に防止できるとともに、伝達縦軸が剛性の高い線材等から形成できることから、受圧部材から支持シャフトへのその作動力の伝達効率が確実に高められる。
【００１４】
そして、受圧部材が、着座者腰部からの荷重をその揺動により受圧するため、受圧部材の受圧作動の確実性が一層向上される。
【００１５】
また、本発明の請求項２では、連結部材のクランク部横軸が、着座者からの荷重を受圧する受圧部材のクランク部横軸とほぼ一体的に並設されるため、受圧部材の剛性が、これにより自ずと高められることから、着座者腰部からの荷重の受圧の確実性が一層高められる。
【００１６】
そして、本発明の請求項３では、連結部材のクランク部横軸の長さが十分に抑制できるため、受圧時の捩れ等が確実に防止可能となり、これにより、受圧部材から支持シャフトへの作動力伝達の確実性が一層向上される。
【００１７】
さらに、本発明の請求項４では、支持シャフトのクランク部横軸が、シートバック着座面に沈み込む着座者の頚部から逃げた位置に配置されることになるため、後突時等における着座者頚部の保護性能が一層高められる。
【発明を実施するための最良の形態】
【００１８】
クランク軸形状に形成された受圧部材が、シートバックフレームの左右のサイドメンバ間に架設、軸支され、この受圧部材の作動力が、着座者上体背部との非整列位置で正面略逆ハ字形状をなして配された伝達縦軸により支持シャフトに伝達されている。
【実施例】
【００１９】
以下、図面を参照しながら本発明の実施例を詳細に説明する。
図１、図２は、本発明の一実施例に係るシートバック構造のヘッドレスト下方初期位置での概略正面図、シートバック着座面側から見た概略斜視図を示す。
図示のように、本発明のシートバック構造１０においては、ヘッドレストを支持する横設の支持シャフト１２が、左右一対の回動リンク１４によって上方変位を可能に支持されるとともに、着座者からの荷重を受圧する受圧部材１６が、後突時等での着座者の後方慣性移動による衝撃荷重の受圧のもとで後方かつ上方に移動可能に設けられている。
【００２０】
支持シャフト１２には、左右一対のホルダブラケット１８が一体的に固着されており、このホルダブラケットは、シートバックフレーム２０上端のアッパメンバ２２に設けられた固定のブラケットガイド２４に摺動自在に挿着、保持されている。そして、着座者頭部を弾性的に支持するヘッドレスト（図示しない）が、このホルダブラケット１８に対し、シートバック上端のステーホルダ（図示しない）を介して一体昇降可能に連結、保持される。
【００２１】
なお、前出のヘッドレストおよびステーホルダとしては、たとえば特開２００８−１８８４２号公報に開示されたのと同等のものが利用できるとともに、その構成自体はこの発明の趣旨でないため、ここではこれら利用可能な既存部材に対する図示および詳細な説明を省略する。
【００２２】
このシートバック構造１０においては、後突時等での着座者の後方慣性移動による衝撃荷重を受圧部材１６で受圧することにより、ヘッドレストが着座者頭部に近接する上方変位位置に変位、移動される。そこで、通常時は、回動リンク１４に下方への付勢力を付与することにより、支持シャフト１２を下方初期位置（ヘッドレストの下方初期位置と同意）に付勢、保持するものとし、この付勢力に抗する押上げ力が受圧部材１６から回動リンクに伝達、作用したとき、支持シャフト、つまりはヘッドレストが下方初期位置から上方変位位置に変位、移動されるものとなっている。
【００２３】
この、支持シャフト１２を下方初期位置に付勢、保持する付勢手段２６としては、たとえば、回動リンク１４とシートバックフレーム２０の左右サイドフレーム２８とに架設、張設された引張コイルばねが例示でき、この引張コイルばねの付勢力は、たとえば、後突時等での着座者の後方慣性移動による衝撃荷重を基準として設定される。
【００２４】
ここで、この発明においては、略クランク軸形状に形成された受圧部材１６が、そのクランク部１６ａの横軸１６ａ−１で着座者腰部からの荷重を受圧可能に、シートバックフレーム２０の左右サイドメンバ間、たとえば左右サイドフレーム２８間に架設、軸支されている。この受圧部材のクランク部横軸１６ａ−１は、後突時等での着座者の後方慣性移動による衝撃荷重の受圧のもとで後方かつ上方に移動可能に、その支軸部１６ｂより下方に配されている。そして、この受圧部材１６による衝撃荷重の受圧を支持シャフト１２の上方変位、ひいてはヘッドレストの上方変位に伝達、変換可能に、左右一対の伝達縦軸３０が、受圧部材のクランク部１６ａのたとえば横軸１６ａ−１と、回動リンク１４の所定の連結端１４ａとの間に架設、連結されている。
【００２５】
図１、図２に示すように、この実施例においては、左右一対の伝達縦軸３０が、略クランク軸形状に形成された連結部材３２のクランク部３２ａの縦軸として形成されている。そして、この連結部材３２のクランク部横軸３２ａ−１を受圧部材のクランク部横軸１６ａ−１の後ろ側に、たとえば保持クリップ３４等により回動自在に連結、保持するとともに、連結部材のクランク部縦軸上端、つまり伝達縦軸３０上端に位置する支軸３２ｂを回動リンク１４の連結端１４ａに枢着して、連結部材は配設されている。
【００２６】
この発明においては、左右一対の伝達縦軸３０が、着座者上体背部との概略非整列位置、つまり、後突時等におけるシートバック着座面に対する着座者上体背部の沈み込み位置からシート左右方向に外れた位置に配置される。このような構成とすることで、着座者上体背部が後突時等の後方慣性移動のもとで大きく沈み込んでも、伝達縦軸３０に対する着座者上体背部の突き当りがほぼなくなるため、後突時等における着座者上体背部に対する底付き感の付与が確実に防止できる。
【００２７】
また、このように伝達縦軸３０を着座者上体背部との非整列位置に配置することで、この伝達縦軸への着座者上体背部の突き当たりを考慮する必要がなくなるため、伝達縦軸として、撓みのない剛性の高い線材等を利用することが可能になる。従って、この構成によれば、受圧部材１６から支持シャフト１２へのその作動力の高い伝達性能が容易に確保される。
【００２８】
そして、この発明においては、受圧部材１６として、左右サイドフレーム２８間に架設、軸支されたクランク軸形状部材を利用している。このようなクランク軸形状部材であれば、受圧部材１６は着座者腰部からの荷重の受圧のもとで揺動すれば足りるため、着座者腰部からの荷重の円滑な受圧が容易に確保できる。
【００２９】
ここで、この実施例においては、左右一対の伝達縦軸３０として、たとえば、連結部材３２の一体のクランク部縦軸を用いているが、これに限定されず、たとえば、左右別体の伝達縦軸によって、受圧部材のクランク部横軸１６ａ−１と回動リンク１４の連結端１４ａとを連動可能に連結する構成としてもよい。
また、この実施例においては、伝達縦軸３０によって受圧部材のクランク部横軸１６ａ−１と回動リンク１４の連結端１４ａとを連動可能に連結しているが、受圧部材１６の揺動を回動リンク１４、ひいては支持シャフト１２に伝達すれば足りるため、これに限定されず、たとえば、受圧部材のクランク部縦軸１６ａ−２と回動リンク１４の連結端１４ａとを連結する構成としてもよい。
【００３０】
しかしながら、クランク軸形状の連結部材３２を用い、かつそのクランク部横軸３２ａ−１を、受圧部材のクランク部横軸１６ａ−１に連結すれば、連結部材のクランク部横軸３２ａ−１が、着座者からの荷重を受圧する受圧部材のクランク部横軸１６ａ−１とほぼ一体的に並設されるため、受圧部材１６の剛性が、これにより自ずと高められる。従って、これによれば、着座者腰部からの荷重の受圧の確実性が一層高められるという効果が得られる。また、受圧部材のクランク部横軸１６ａ−１への伝達縦軸３０の連結が、構成の複雑化や連結部位の大型化等を伴うことなく可能になる。
【００３１】
なお、この発明においては、連結部材のクランク部横軸３２ａ−１を、受圧部材のクランク部横軸１６ａ−１の後ろ側に連結している。このような構成によれば、受圧部材１６前面への出っ張りが確実に防止できるため、着座者上体背部に対する快適性、安全性が一層向上される。
【００３２】
また、図１を見ると明らかなように、この実施例においては、伝達縦軸３０が、正面略逆ハ字形状に配置されている。このような構成によれば、連結部材３２のクランク部横軸３２ａ−１の長さが十分に抑制できるため、受圧時の捩れ等が確実に防止可能となり、これにより、受圧部材１６から支持シャフト１２への作動力伝達の確実性が一層向上される。
【００３３】
ところで、ヘッドレストを支持する支持シャフト１２は、通常、シートバックの上部に配置されるため、後突時等での着座者の後方慣性移動により着座者上体がシートバック着座面に大きく沈み込むと、着座者の頚部が支持シャフトに突き当たるおそれがある。そこで、この発明においては、上記の構成に加えて、支持シャフトを略クランク軸形状に形成し、この支持シャフトのクランク部横軸１２ａ−１を、その支軸１２ｂの上方位置に配置することが好ましい。
【００３４】
このような構成によれば、支持シャフトのクランク部横軸１２ａ−１が、シートバック着座面に沈み込む着座者の頚部から逃げた位置に配置されることになるため、後突時等における着座者頚部の保護性能が一層高められる。
【００３５】
上述した実施例は、この発明を説明するためのものであり、この発明を何ら限定するものでなく、この発明の技術範囲内で変形、改造などの施されたものも全てこの発明に包含されることはいうまでもない。
【産業上の利用可能性】
【００３６】
一般的には、シートバックに対する脱着の可能なヘッドレストがその対象とされるが、これに限定されず、たとえば脱着の不能なヘッドレストにもこの発明が応用できる。
【図面の簡単な説明】
【００３７】
【図１】この発明の一実施例に係る車両用シートのシートバック構造のヘッドレスト下方初期位置での概略正面図を示す。
【図２】この発明の一実施例に係る車両用シートのシートバック構造のシートバック着座面側から見た概略斜視図である。
【符号の説明】
【００３８】
１０      車両用シートのシートバック構造
１２      支持シャフト
１４      回動リンク  
１６      受圧部材
３０      伝達縦軸
３２      連結部材
【図１】
2010105424.tif 000003
【図２】
2010105424.tif 000004